(57)【要約】【課題】発信者が指名した着信者が不在であった場合に、本来の通信である通話を行う前に、着信者の個別の情報を発信者に通知する通信装置を提供する。【解決手段】一方の通信装置２０１の発信者が、他方の通信装置２００に着信者を指定して発信する。通信装置２００は、不在中の着信者と、不在中に着信した場合に返信する返信メッセージ２４２Ａとを、発信者毎に個別に予め設定しておく。通信装置２００は、設定されている発信者からの不在中の着信者を指定した着信に対して、返信メッセージ２４２Ａを通信装置２０１に送信する。【選択図】  図１
2004247782.tif 000002
【特許請求の範囲】
【請求項１】
通信網に接続され、発信側の通信装置は着信側の通信装置に、発信者を示す発信者識別情報と、発信者が通信相手として指定する着信者を示す着信者指定情報とを送信する通信装置であって、
予め複数の着信者のそれぞれを特定する各着信者特定情報と、各着信者に対応するメッセージである個別送信メッセージとを対応付けて記憶する記憶手段と、
着信時に、発信者側から受信した着信者指定情報が示す着信者と、前記記憶手段が記憶する着信者特定情報が示す着信者とを比較し、一致する着信者に対応する個別送信メッセージを前記記憶手段から読み出して発信側の通信装置に送信する制御手段とを備えた
ことを特徴とする通信装置。
【請求項２】
通信網に接続され、発信側の通信装置は着信側の通信装置に、発信者を示す発信者識別情報と、発信者が通信相手として指定する着信者を示す着信者指定情報とを送信する通信装置であって、
予め複数の発信者のそれぞれを特定する各発信者特定情報と、各発信者に対応するメッセージである個別送信メッセージとを対応付けて記憶する記憶手段と、
着信時に、発信者側から受信した発信者識別情報が示す発信者と、前記記憶手段が記憶する発信者特定情報が示す発信者とを比較し、一致する発信者に対応する個別送信メッセージを前記記憶手段から読み出して発信側の通信装置に送信する制御手段とを備えた
ことを特徴とする通信装置。
【請求項３】
通信網に接続され、発信側の通信装置は着信側の通信装置に、発信者を示す発信者識別情報と、発信者が通信相手として指定する着信者を示す着信者指定情報とを送信する通信装置であって、
予め複数の着信者のそれぞれを特定する各着信者特定情報を記憶する記憶手段と、
着信時に、発信者側から受信した着信者指定情報が示す着信者と、前記記憶手段が記憶する着信者特定情報が示す着信者とを比較し、一致する着信者が存在しないと判断した場合に、着信してから応答することなく所定の時間が経過すると、所定のメッセージを発信側の通信装置に送信する制御手段とを備えた
ことを特徴とする通信装置。
【請求項４】
通信網に接続され、発信側の通信装置は着信側の通信装置に、発信者を示す発信者識別情報と、発信者が通信相手として指定する着信者を示す着信者指定情報とを送信する通信装置であって、
予め複数の着信者のそれぞれを特定する各着信者特定情報を記憶する記憶手段と、
着信時に、発信者側から受信した着信者指定情報が示す着信者と、前記記憶手段が記憶する着信者特定情報が示す着信者とを比較し、一致する着信者が存在しないと判断した場合に、利用者が所定の操作を行うと、所定のメッセージを発信側の通信装置に送信する制御手段とを備えた
ことを特徴とする通信装置。
【請求項５】
制御手段は、着信時に、発信者側から受信した着信者指定情報が示す着信者と、記憶手段が記憶する着信者特定情報が示す着信者とを比較し、一致する着信者が存在しないと判断した場合に、着信してから応答することなく所定の時間が経過すると、所定のメッセージを発信側の通信装置に送信する
請求項２に記載の通信装置。
【請求項６】
制御手段は、発信者側から受信した着信者指定情報が示す着信者と、記憶手段が記憶する着信者特定情報が示す着信者とを比較し、一致する着信者が存在しないと判断した場合に、利用者が所定の操作を行うと、所定のメッセージを発信側の通信装置に送信する
請求項２、請求項３または請求項５に記載の通信装置。
【請求項７】
記憶手段は、予め複数の着信者のそれぞれを特定する各着信者特定情報と、各着信者に対応するメッセージである個別送信メッセージとを対応付けて記憶し、
制御手段は、着信時に、発信者側から受信した着信者指定情報が示す着信者と、前記記憶手段が記憶する着信者特定情報が示す着信者とを比較し、一致する着信者に対応する個別送信メッセージを前記記憶手段から読み出して発信側の通信装置に送信する
請求項２から請求項６のうちいずれか１項に記載の通信装置。
【請求項８】
記憶手段は、各発信者特定情報と各着信者特定情報とを任意に組み合わせ、各組み合わせに対応するメッセージである個別送信メッセージと各組み合わせとを対応付けて記憶し、
制御手段は、着信時に、発信側から受信した発信者識別情報と着信者指定情報とが前記記憶手段が記憶する発信者特定情報と着信者特定情報との組み合わせに合致するか否かを判断し、合致すると判断すると前記記憶手段が記憶する前記組み合わせに対応する個別送信メッセージを発信側の通信装置に送信する
請求項１から請求項７のうちいずれか１項に記載の通信装置。
【発明の詳細な説明】
【０００１】
【発明の属する技術分野】
本発明は、通信網を介して通信を行う通信装置に関し、特に、通話やデータ通信が開始される前に、発信者の情報と発信者が指名する着信者の情報とを相互に送受信する通信装置に関する。
【０００２】
【従来の技術】
電話機を用いた通話において、利用者は、自己が不在になるときには、予めテープ等の記憶媒体に発信者へのメッセージを録音し、利用者の不在中の着信に対しては電話機がそのメッセージを送信して、発信者に利用者である着信者が不在であることを通知する方式がある。
【０００３】
また、ＩＳＤＮ（Ｉｎｔｅｇｒａｔｅｄ  Ｓｅｒｖｉｃｅｓ  ＤｉｇｉｔａｌＮｅｔｗｏｒｋ）のサブアドレスの情報や、ユーザ・ユーザ情報等を利用して着信者の不在であることを発信者に通知する通信装置がある。例えば、通信装置に、特定の発信者のＩＳＤＮアドレスとそれに対応するメッセージを予め記憶させ、特定の発信者のＩＳＤＮアドレスから着信すると、それに対応するメッセージを発信者に送信させる方法が提案されている（例えば、特許文献１参照。）。
【０００４】
着信者を指名する着信を受け付け、指名された着信者が不在である場合に、発信者にその旨を通知する通信装置が提案されている（例えば、特許文献２参照。）。
【０００５】
【特許文献１】
特開平４−３６５２５３号公報  （第１頁、第１図）
【特許文献２】
特開２０００−３３２８９４号公報  （第４−７頁、第１図）
【０００６】
【発明が解決しようとする課題】
しかし、特許文献１に記載の方法は、通信装置が不在である着信者の代理として着信応答してからメッセージの送信を行うため、実際には着信者が応答していないにもかかわらず、発信者は通信費を負担することとなる。
【０００７】
また、特許文献２に記載の通信装置は、指名された着信者が不在である場合に発信者に通知する内容は共通であり、発信者毎に違うメッセージとすることができない。
【０００８】
そこで本発明は、本来の通信である通話を行う前に、発信者が指名した着信者が不在であることを発信者に通知することができる通信装置を提供することを目的とする。
【０００９】
【課題を解決するための手段】
本発明による通信装置は、通信網に接続され、発信側の通信装置は着信側の通信装置に、発信者を示す発信者識別情報と、発信者が通信相手として指定する着信者を示す着信者指定情報とを送信する通信装置であって、予め複数の着信者のそれぞれを特定する各着信者特定情報と、各着信者に対応するメッセージである個別送信メッセージとを対応付けて記憶する記憶手段と、着信時に、発信者側から受信した着信者指定情報が示す着信者と、記憶手段が記憶する着信者特定情報が示す着信者とを比較し、一致する着信者に対応する個別送信メッセージを記憶手段から読み出して発信側の通信装置に送信する制御手段とを備えたことを特徴とする。
【００１０】
本発明による通信装置は、通信網に接続され、発信側の通信装置は着信側の通信装置に、発信者を示す発信者識別情報と、発信者が通信相手として指定する着信者を示す着信者指定情報とを送信する通信装置であって、予め複数の発信者のそれぞれを特定する各発信者特定情報と、各発信者に対応するメッセージである個別送信メッセージとを対応付けて記憶する記憶手段と、着信時に、発信者側から受信した発信者識別情報が示す発信者と、記憶手段が記憶する発信者特定情報が示す発信者とを比較し、一致する発信者に対応する個別送信メッセージを記憶手段から読み出して発信側の通信装置に送信する制御手段とを備えたことを特徴とする。
【００１１】
本発明による通信装置は、通信網に接続され、発信側の通信装置は着信側の通信装置に、発信者を示す発信者識別情報と、発信者が通信相手として指定する着信者を示す着信者指定情報とを送信する通信装置であって、予め複数の着信者のそれぞれを特定する各着信者特定情報を記憶する記憶手段と、着信時に、発信者側から受信した着信者指定情報が示す着信者と、記憶手段が記憶する着信者特定情報が示す着信者とを比較し、一致する着信者が存在しないと判断した場合に、着信してから応答することなく所定の時間が経過すると、所定のメッセージを発信側の通信装置に送信する制御手段とを備えたことを特徴とする。
【００１２】
本発明による通信装置は、通信網に接続され、発信側の通信装置は着信側の通信装置に、発信者を示す発信者識別情報と、発信者が通信相手として指定する着信者を示す着信者指定情報とを送信する通信装置であって、予め複数の着信者のそれぞれを特定する各着信者特定情報を記憶する記憶手段と、着信時に、発信者側から受信した着信者指定情報が示す着信者と、記憶手段が記憶する着信者特定情報が示す着信者とを比較し、一致する着信者が存在しないと判断した場合に、利用者が所定の操作を行うと、所定のメッセージを発信側の通信装置に送信する制御手段とを備えた。
【００１３】
制御手段は、着信時に、発信者側から受信した着信者指定情報が示す着信者と、記憶手段が記憶する着信者特定情報が示す着信者とを比較し、一致する着信者が存在しないと判断した場合に、着信してから応答することなく所定の時間が経過すると、所定のメッセージを発信側の通信装置に送信してもよい。そのような構成によれば、本来の通信の前に着信者指定情報が示す着信者の情報を、発信者に伝えることができる。
【００１４】
制御手段は、発信者側から受信した着信者指定情報が示す着信者と、記憶手段が記憶する着信者特定情報が示す着信者とを比較し、一致する着信者が存在しないと判断した場合に、利用者が所定の操作を行うと、所定のメッセージを発信側の通信装置に送信してもよい。そのような構成によれば、発信者が指定した着信者以外の人が応答する等の本来の通話を行わずに、迅速に発信者に発信者指定情報が示す着信者の情報を伝えることができる。
【００１５】
記憶手段は、予め複数の着信者のそれぞれを特定する各着信者特定情報と、各着信者に対応するメッセージである個別送信メッセージとを対応付けて記憶してもよく、制御手段は、着信時に、発信者側から受信した着信者指定情報が示す着信者と、記憶手段が記憶する着信者特定情報が示す着信者とを比較し、一致する着信者に対応する個別送信メッセージを記憶手段から読み出して発信側の通信装置に送信してもよい。そのような構成によれば、着信者特定情報が示す着信者に個別に対応付けられたメッセージを、発信者に送信することができる。
【００１６】
記憶手段は、各発信者特定情報と各着信者特定情報とを任意に組み合わせ、各組み合わせに対応するメッセージである個別送信メッセージと各組み合わせとを対応付けて記憶してもよく、制御手段は、着信時に、発信側から受信した発信者識別情報と着信者指定情報とが記憶手段が記憶する発信者特定情報と着信者特定情報との組み合わせに合致するか否かを判断し、合致すると判断すると記憶手段が記憶する組み合わせに対応する個別送信メッセージを発信側の通信装置に送信してもよい。そのような構成によれば、発信者特定情報が示す発信者と着信者特定情報が示す着信者との組み合わせに個別に対応付けられたメッセージを、発信者に送信することができる。
【００１７】
【発明の実施の形態】
以下、本発明の実施の形態を図面を参照して説明する。
【００１８】
図１に、本発明による通信装置を使用した実施の形態の一例を示すシステム構成図を示し、構成について説明する。本発明による通信システムは、通信網１００と、本発明による通信装置の一方である通信装置２００と他方である通信装置２０１とを含む。一方の通信装置２００と、他方の通信装置２０１とは、通信網１００を介して接続される。一方の通信装置２００には通信端末である電話機３１とファクシミリ装置３２とが接続され、他方の通信装置２０１には電話機３３とファクシミリ装置３４とが接続される。また、ここでは通信網１００の一例としてＩＳＤＮを例に説明する。なお、図１には、通信装置２００，２０１に接続される電話機として、それぞれ１台の電話機３１，３３のみが示されているが、例えばボタン電話装置等を介して複数台の電話機を通信装置２００，２０１のそれぞれに接続することができる。
【００１９】
図２は本発明による通信装置２００の一構成例を示すブロック図である。図１における通信装置２０１も同様な構成である。
【００２０】
通信装置２００は、ＣＰＵ２１と、呼制御部２２と、アナログインタフェース部２３と、記憶部２４と、表示部２５と、個別ＩＤ設定部２６と、設定ボタン２７とを含む。着サブアドレス送信手段と着サブアドレス受信手段とは、ＣＰＵ２１と呼制御部２２とによって実現される。制御手段は、ＣＰＵ２１と呼制御部２２とによって実現される。記憶手段は、記憶部２４によって実現される。
【００２１】
呼制御部２２は、通信網１００と接続され、回線閉結および開放を行い、通信網１００を介して他方の通信装置２０１と各種の情報の送受信を行う。各種の情報は、ＳＥＴＵＰメッセージ（以下、セットアップ情報という。）１１と、ＣＯＮＮＥＣＴメッセージ（以下、コネクト情報という。）１２と、ＡＬＥＲＴＩＮＧメッセージ（以下、アラーティング情報という。）１３とを含む。セットアップ情報１１は、相手先発信番号である発番号１１１と、相手先発信元サブアドレスである発サブアドレス１１２と、着信先番号である着番号１１３と、着信先サブアドレスである着サブアドレス１１４と、ユーザ・ユーザ情報１１５とを含む。着サブアドレス１１４については後で説明する。コネクト情報１２は、ユーザ・ユーザ情報１２１を含む。アラーティング情報１３は、ユーザ・ユーザ情報１３１を含む。各ユーザ・ユーザ情報は、通信を行うユーザ間で送受信する情報である。
【００２２】
アナログインタフェース部２３は、電話機３１とファクシミリ装置３２とに接続され、通信網１００を介して受信した音声信号や画像信号をアナログ信号に変換して、電話機３１とファクシミリ装置３２とに送信する。また、ＣＰＵ２１の制御に基づき、電話機３１とファクシミリ装置３２との表示部（図示せず）に表示させたい文字の情報をアナログ信号に変換して送信する。
【００２３】
記憶部２４は、着サブアドレステーブル２４１と、相手先別アドレステーブル２４３と、不在者テーブル２４２とを記憶する。各テーブルについては後で説明する。
【００２４】
表示部２５は、ＣＰＵ２１の制御に基づいて文字情報を表示する。ＣＰＵ２１は、各部とバスで接続され、通信装置全体の制御および記憶部２４が記憶する各テーブルに基づいた情報処理を行う。また、時間を計測するタイマ（図示せず）がＣＰＵ２１に接続される。
【００２５】
個別ＩＤ設定部２６は、ＣＰＵ２１に接続される。個別ＩＤ設定部２６は、着信後であって応答前のタイミングの時に、着信者が誰であるかを特定する情報である個別ＩＤ２４３Ａの入力を受け付け、個別ＩＤ２４３ＡをＣＰＵ２１に出力する。個別ＩＤ設定部２６は、個別ＩＤ２４３Ａの入力を、電話機３１あるいはファクシミリ装置３２のキーのうち、各使用者に割り当てられたキーの押下を検知することによって受け付けてもよいし、通信装置２００の個別ＩＤ設定用ボタン（図示せず）の押下を検知することによって受け付けてもよい。
【００２６】
設定ボタン２７は、ＣＰＵ２１に接続される。ＣＰＵ２１が、着信後であって応答前のタイミングの時に設定ボタン２７が押下されたことを検出すると、ＣＰＵ２１はアラーティング情報１３を呼制御部２２を介して他方の通信装置２０１に送信する。また、発信者が指定した着信者を不在者テーブル２４２に登録してもよい。
【００２７】
着サブアドレス１１４について説明する。この実施の形態は、通信網１００の一例としてＩＳＤＮを例に説明しているが、ＩＳＤＮでは４０桁までの１０進数の番号であるサブアドレスを加入者番号の後に付けることができる。図３は、そのようなサブアドレスである着サブアドレス１１４の構成を示す説明図である。
【００２８】
図３において、各「〇」は着サブアドレス１１４を構成する数字を表す。着サブアドレス１１４は、着サブアドレス１１４の先頭から符号「＊」までの着サブアドレスＡ１１４Ａと、符号「＊」から後部の着サブアドレスＢ１１４Ｂとに分けられる。着サブアドレスＡ１１４Ａは発信者が誰であるかを表す発信者識別情報を含み、着サブアドレスＢ１１４Ｂは発信者が希望する着信者である指名着信者が誰であるか表す着信者識別情報（着信者指定情報）を含む。このように、この実施の形態では、サブアドレスである着サブアドレス１１４は、発信者と着信者との両方の識別情報を含む。
【００２９】
そのような着サブアドレス１１４の構成によれば、例えば着サブアドレス１１４が「１２３４＊５６７８」であった場合、「１２３４」が着サブアドレスＡ１１４Ａであり、「５６７８」が着サブアドレスＢ１１４Ｂとなる。また、着サブアドレス１１４が、「１２３４＊」であった場合は着サブアドレスＢ１１４Ｂがない場合であり、「＊５６７８」であった場合は着サブアドレスＡ１１４Ａがない場合となる。さらに、着サブアドレス１１４が、着サブアドレス１１４内に「＊」がない「１２３４５６７８」であった場合は、通常の着サブアドレスとして扱う。
【００３０】
また、着サブアドレスＡ１１４Ａと着サブアドレスＢ１１４Ｂとを分割する符号は、「＊」に限定されない。着サブアドレス１１４のうち、着サブアドレスＡ１１４Ａと、着サブアドレスＢ１１４Ｂとが特定可能であれば他の方法を用いてもよい。また、着サブアドレスＡ１１４Ａと着サブアドレスＢ１１４Ｂとは、４桁の数字の組み合わせに限定されない。着サブアドレスＡ１１４Ａは発信者を特定可能であり、着サブアドレスＢ１１４Ｂは指名着信者を特定可能であれば、他の方法を用いてもよい。
【００３１】
着サブアドレステーブル２４１について説明する。ＣＰＵ２１は、着信時にこのテーブルを参照する。図４（ａ）は、着サブアドレステーブル２４１の内容を表した説明図である。着サブアドレスＡ１１４Ａと着サブアドレスＢ１１４Ｂとは、発信者側の通信装置である他方の通信装置２０１が送信するセットアップ情報１１の着サブアドレス１１４に含まれる情報である。発信者表示情報２４１Ａは、発信元がどこであるかを表示部２５に表示する情報である。着信者表示情報２４１Ｂは、指名着信者が誰であるかを表示部２５に表示する情報である。ユーザは、着サブアドレステーブル２４１に、着サブアドレスＡ１１４Ａと発信者表示情報２４１Ａを対応づけて予め登録する。同様に、ユーザは、着サブアドレステーブル２４１に、着サブアドレスＢ１１４Ｂと着信者表示情報２４１Ｂとを対応づけて予め登録する。
【００３２】
着サブアドレステーブル２４１は、例えば、着サブアドレスＡ１１４Ａ「１１１１」には、発信者表示情報２４１Ａ「０３ｘｘｘｘｙｙｙｙ」が対応していることを表し、着サブアドレスＢ１１４Ｂ「３３３３」には、着信者表示情報２４１Ｂ「ｔａｒｏｕ」が対応していることを表す。呼制御部２２は、着サブアドレスＡ１１４Ａを受信するとＣＰＵ２１に出力し、ＣＰＵ２１は、着サブアドレステーブル２４１を参照して着サブアドレスＡ１１４Ａに対応する発信者表示情報２４１Ａを特定し、表示部２５に表示させる。また、呼制御部２２は、着サブアドレスＢ１１４Ｂを受信するとＣＰＵ２１に出力し、ＣＰＵ２１は、着サブアドレステーブル２４１を参照して、着サブアドレスＢ１１４Ｂに対応する着信者表示情報２４１Ｂを特定し、表示部２５に表示させる。
【００３３】
不在者テーブル２４２について説明する。ＣＰＵ２１は、着信時にこのテーブルを参照する。図４（ｂ）は、不在者テーブル２４２の内容を表した説明図である。ユーザは、不在者テーブル２４２に、発信者特定情報としての着サブアドレスＡ１１４Ａと着信者特定情報としての着サブアドレスＢ１１４Ｂとの組み合わせと、それに対する送信メッセージ２４２Ａとを、予め対応づけて登録する。登録した送信メッセージ２４２Ａは、指名着信者と発信者との組み合わせ毎に個別に登録した、指名着信者が着信時に不在であった場合に発信者に対して送信するメッセージである。例えば、着サブアドレスＢ１１４Ｂ「３３３３」および着サブアドレスＡ１１４Ａ「１１１１」の組み合わせに対する送信メッセージ２４２Ａは、「シュッチョウ」である。したがって、着サブアドレスＢ１１４Ｂ「３３３３」および着サブアドレスＡ１１４Ａ「１１１１」の組み合わせを受信すると、ＣＰＵ２１は、送信メッセージ２４２Ａ「シュッチョウ」を発信者側の通信装置に対して送信する。
【００３４】
また、不在者テーブル２４２には、登録した指名着信者と発信者との組み合わせ以外の全ての着信に共通する、共通の送信メッセージが予め登録されている。図４（ｂ）における共通の送信メッセージは「フザイ」である。例えば、着サブアドレスＢ１１４Ｂ「３３３３」および着サブアドレスＡ１１４Ａ「１２３４」の組み合わせは登録されていないため、この場合の送信メッセージ２４２Ａは「フザイ」である。
【００３５】
ＣＰＵ２１は、送信メッセージ２４２Ａをアラーティング情報１３のユーザ・ユーザ情報１３１に含ませて、呼制御部２２を介して発信者側の通信装置２０１に送信する。
【００３６】
相手先別アドレステーブル２４３について説明する。ＣＰＵ２１は、発信時にこのテーブルを参照する。図４（ｃ）は、相手先別アドレステーブル２４３の内容を表した説明図である。相手先別アドレステーブル２４３は、相手先発信番号毎に、個別ＩＤ２４３Ａと、個別ＩＤ表示情報２４３Ｂとの対応が予め登録されている。個別ＩＤ２４３Ａは、コネクト情報１２のユーザ・ユーザ情報１２１に含まれる、着信者を特定する情報である。個別ＩＤ表示情報２４３Ｂは、発信者に、着信者が誰であるかを認識させる情報である。
【００３７】
相手先別アドレステーブル２４３は、例えば、相手先発信番号「０３ａａａａｂｂｂｂ」に発信時には、個別ＩＤ２４３Ａ「５５５５」と個別ＩＤ表示情報２４３Ｂ「ａａａａ」とが対応していることを表す。ＣＰＵ２１は、相手先別アドレステーブル２４３を参照して、発信した相手先発信番号と、呼制御部２２が受信したコネクト情報１２のユーザ・ユーザ情報１２１が含む個別ＩＤ２４３Ａとに対応する個別ＩＤ表示情報２４３Ｂを特定し、個別ＩＤ表示情報２４３Ｂを表示部２５に表示させる。例えば、相手先発信番号「０３ａａａａｂｂｂｂ」に発信時に呼制御部２２が受信したコネクト情報１２のユーザ・ユーザ情報１２１に含まれる個別ＩＤ２４３Ａが「５５５５」であった場合、ＣＰＵ２１は、「ａａａａ」を表示部２５に表示させる。そして、ユーザは表示部２５を見ることにより、着信者が「ａａａａ」氏であることを認識する。
【００３８】
次に、この実施の形態の動作について説明する。ここでは、本発明による一の通信装置２０１が発信側の通信装置であり、他方の通信装置２００が着信側の通信装置である場合を例にする。発信側の管理者等は、予め、通信装置２０１に接続されるパーソナルコンピュータ等（図示せず）から、図４（ｃ）に例示された相手先別アドレステーブル２４３の内容に対応するデータを通信装置２０１に入力する。入力されたデータは、記憶部２４に記憶される。なお、各利用者が、相手先別アドレステーブル２４３の内容を入力してもよい。
【００３９】
また、着信側の管理者等は、予め、通信装置２００に接続されるパーソナルコンピュータ等（図示せず）から、図４（ａ）に例示された着サブアドレステーブル２４１の内容に対応するデータを通信装置２００に入力する。入力されたデータは、記憶部２４に記憶される。なお、各利用者が、着サブアドレステーブル２４１の内容を入力してもよい。
【００４０】
通信装置２００に接続される通信端末の利用者、特に、電話機３１の利用者は、外出するときなどに、パーソナルコンピュータや電話機３１のボタン等を介して、不在メッセージを通信装置２００に対して入力する。このとき、１つまたは複数の発信者特定情報を示すデータも入力してもよい。それらのデータは、記憶部２４において、不在者テーブル２４２における着アドレスＡ１１４Ａおよび送信メッセージ２４２Ａとして記憶される。なお、着アドレスＢ１１４Ｂは、利用者によって入力されてもよいし、ボタン電話装置等によって自動的に通信装置２００に入力されるようにしてもよい。
【００４１】
次に、通信装置２００が、他方の通信装置２０１から着信した時の動作について説明する。図５および図６は、この実施の形態の着信時の動作を説明するフローチャートである。
【００４２】
図５を参照して、表示部２５が発信者の情報を表示するまでについて説明する。通信網１００を介して通信装置２０１が、通信装置２００へ発信する。このとき、通信装置２０１は、最初にセットアップ情報１１を送信する。
【００４３】
通信装置２００の呼制御部２２は、セットアップ情報１１を受信すると、ＣＰＵ２１に出力する。ＣＰＵ２１は、セットアップ情報１１が、着サブアドレス１１４を有するか否かの判断を行う（ステップＳ１０１）。着サブアドレス１１４を有しない場合、ＣＰＵ２１は、セットアップ情報１１の発番号１１１である発信者番号を表示部２５に表示させ、通常の着信動作を実行する（ステップＳ１０２、１０３）。
【００４４】
着サブアドレス１１４を有する場合、ＣＰＵ２１は、着サブアドレス１１４が、着サブアドレスＡ１１４Ａと、着サブアドレスＢ１１４Ｂとに分割が可能か否かの判断を行う（ステップＳ１０４）。ここで、例えば着サブアドレス１１４が「１１１１＊３３３３」であったとすると、符号「＊」の前後の「１１１１」と「３３３３」とに分割が可能であると判断する。着サブアドレス１１４が、例えば「１２３４５６７８」等の「＊」がない着サブアドレス１１４であった場合、ＣＰＵ２１は、セットアップ情報１１の発番号１１１である発信者番号を表示部２５に表示させ、通常の着信動作を実行する（ステップＳ１０２、１０３）。
【００４５】
着サブアドレス１１４が分割可能であった場合、ＣＰＵ２１は、着サブアドレスＡ１１４Ａが着サブアドレステーブル２４１に登録されているか否かを判断する（ステップＳ１０５）。また、ＣＰＵ２１は、着サブアドレスＢ１１４Ｂが着サブアドレステーブル２４１に登録されているか否かも判断する（ステップＳ１０６、１０７）。
【００４６】
ＣＰＵ２１は、着サブアドレステーブル２４１を参照する。そして、着サブアドレスＡ１１４Ａと着サブアドレスＢ１１４Ｂとの両方が着サブアドレステーブル２４１に登録されていた場合、ＣＰＵ２１は、対応する発信者表示情報２４１Ａと発信者表示情報２４１Ｂとを特定し、表示部２５に表示させる（ステップＳ１０８）。
【００４７】
着サブアドレスＡ１１４Ａが「１１１１」で、着サブアドレスＢ１１４Ｂが「３３３３」であった場合、図４（ａ）を参照すると、着サブアドレスＡ１１４Ａ「１１１１」に対応する発信者表示情報２４１Ａは「０３ｘｘｘｘｙｙｙｙ」であり、着サブアドレスＢ１１４Ｂ「３３３３」に対応する着信者表示情報２４１Ｂは「ｔａｒｏｕ」である。したがって表示部２５には、「０３ｘｘｘｘｙｙｙｙ−ｔａｒｏｕ」と表示される。
【００４８】
ここで、ＣＰＵ２１は、アナログインタフェース部２３に、発信者表示情報２４１Ａと着信者表示情報２４１Ｂとを書きこんでもよい。すると、アナログインタフェース部２３は、書きこまれた発信者表示情報２４１Ａと着信者表示情報２４１Ｂとをアナログ信号に変換して電話機３１とファクシミリ装置３２に送信する。電話機３１とファクシミリ装置３２とは、それぞれの表示部（図示せず）に、発信者表示情報２４１Ａと着信者表示情報２４１Ｂとを表示することができる。また、表示部２５に表示するとき「０３ｘｘｘｘｙｙｙｙ」と「ｔａｒｏｕ」との間に「−」を追加したが、表示部２５の表示の際に、着サブアドレス１１４のうち、どの部分が着サブアドレスＡ１１４Ａであり、どの部分が着サブアドレスＢ１１４Ｂであるかを区別であれば他の方法を用いてもよい。
【００４９】
また、着サブアドレスＡ１１４Ａのみが着サブアドレステーブル２４１に登録されていた場合、ＣＰＵ２１は、対応する発信者表示情報２４１Ａを特定し、表示部２５に表示させる（ステップＳ１０９）。
【００５０】
例えば着サブアドレス１１４が「２２２２＊」であった場合、図４（ａ）を参照すると、着サブアドレスＡ１１４Ａ「２２２２」に対応する発信者表示情報２４１Ａは「０４７１ｙｙｚｚｚｚ」である。したがって表示部２５には、「０４７１ｙｙｚｚｚｚ−」と表示される。このとき「０４７１ｙｙｚｚｚｚ」が発信者表示情報２４１Ａであることを表すために、発信者表示情報２４１Ａ「０４７１ｙｙｚｚｚｚ」の後に「−」を追加したが、表示部２５の表示の際に、発信者表示情報２４１Ａが表示されていることを表す他の方法を用いてもよい。
【００５１】
着サブアドレスＢ１１４Ｂのみが着サブアドレステーブル２４１に登録されていた場合、ＣＰＵ２１は、対応する発信者表示情報２４１Ｂを特定し、表示部２５に表示させる（ステップＳ１１０）。
【００５２】
例えば、着サブアドレス１１４が「＊４４４４」であった場合、図４（ａ）を参照すると、着サブアドレスＢ１１４Ｂ「４４４４」に対応する着信者表示情報２４１Ｂは「ｈａｎａｋｏ」である。したがって表示部２５には、「−ｈａｎａｋｏ」と表示される。このとき「ｈａｎａｋｏ」が着サブアドレスＢであることを表すために、「ｈａｎａｋｏ」の前に「−」を追加したが、表示部２５の表示の際に、着信者表示情報２４１Ｂが表示されていることを表す他の方法を用いてもよい。
【００５３】
着サブアドレスＡ１１４Ａと着サブアドレスＢ１１４Ｂとの両方ともが着サブアドレステーブル２４１に登録されていなかった場合、ＣＰＵ２１は、セットアップ情報１１の発番号１１１である発信者番号を表示部２５に表示させ、通常の着信動作を実行する（ステップＳ１０２、１０３）。
【００５４】
ＣＰＵ２１は、表示部２５に各表示情報や発信者番号を表示させるときに、アナログインタフェース部２３に、各表示情報や発信者番号を書きこんでもよい。すると、アナログインタフェース部２３は、書きこまれた各表示情報や発信者番号をアナログ信号に変換して電話機３１とファクシミリ装置３２に送信する。電話機３１とファクシミリ装置３２とは、それぞれの表示部（図示せず）に、各表示情報や発信者番号を表示する。
【００５５】
次に、図６を参照して、発信者の情報を表示後、応答するまでについて説明する。まず、ＣＰＵ２１は、通信を行う当事者間のＩＳＤＮ契約がポイントｔｏポイント契約であるか否かを判断する（ステップＳ２０１）。ポイントｔｏポイント契約でなかった場合、ＣＰＵ２１は本発明による特別な動作は行わず、着信者が応答すると通常の応答動作を実行する（ステップＳ２１０）。ポイントｔｏポイント契約とは、通信装置が発信側と着信側とで一対一で接続される形態の契約をいう。
【００５６】
ポイントｔｏポイント契約であった場合、ＣＰＵ２１は、不在者テーブル２４２を参照して、着サブアドレスＢ１１４Ｂが登録されているか否かを判断する（ステップＳ２０２）。
【００５７】
着サブアドレスＢ１１４Ｂが不在者テーブル２４２に登録されていなかった場合、ＣＰＵ２１はタイマ（図示せず）に時間の計測を開始させる（ステップＳ２０３）。ＣＰＵ２１は、タイマが計測した時間が所定の時間を経過してもユーザが応答しない場合は、発信者が指名した指名着信者は不在であると判断し、その着サブアドレスＢ１１４Ｂを不在者テーブル２４２に登録する。また、所定の時間経過前に、ユーザが設定ボタン２７を押下した場合は、着サブアドレスＢ１１４Ｂを不在者テーブル２４２に登録してもよい。タイマは、所定の時間を経過するか、設定ボタン２７を押下するか、あるいは指名着信者以外の人が着信に応答するまで、時間の計測を継続する（ステップＳ２０４、２０５）。
【００５８】
着サブアドレスＢ１１４Ｂが不在者テーブル２４２に登録されている場合、ＣＰＵ２１は、不在者テーブル２４２に着サブアドレスＢ１１４Ｂに対応した着サブアドレスＡ１１４Ａが登録されているか否かを判断する（ステップＳ２０６）。着サブアドレスＡ１１４Ａと着サブアドレスＢ１１４Ｂとの組み合わせと、それに対応する送信メッセージ２４２Ａとが登録されていた場合、ＣＰＵ２１は、対応する個別の送信メッセージ２４２Ａをアラーティング情報１３のユーザ・ユーザ情報１３１に含ませて、他方の通信装置２０１に送信する（ステップＳ２０７）。
【００５９】
例えば図４（ｃ）を参照すると、着サブアドレスＢ１１４Ｂが「３３３３」で、着サブアドレスＡ１１４Ａが「１１１１」であった場合、着サブアドレスＡ１１４Ａおよび着サブアドレスＢ１１４Ｂとの組み合わせに対応する送信メッセージ２４２Ａは「シュッチョウ」である。したがってＣＰＵ２１は、「シュッチョウ」をアラーティング情報１３のユーザ・ユーザ情報１３１に含ませて、他方の通信装置２０１に送信する。
【００６０】
着サブアドレスＡ１１４Ａおよび着サブアドレスＢ１１４Ｂの組み合わせと、それに対応する送信メッセージ２４２Ａが登録されていない場合、ＣＰＵ２１は、共通の送信メッセージ２４２Ａをアラーティング情報１３のユーザ・ユーザ情報１３１に含ませて、他方の通信装置２０１に送信する（ステップＳ２０８）。例えば図４（ｃ）を参照すると、着サブアドレスＢ１１４Ｂが「３３３３」で、着サブアドレスＡ１１４Ａが「１２３４」であった場合、着サブアドレスＡ１１４Ａおよび着サブアドレスＢ１１４Ｂとの組み合わせは登録されていない。そこでＣＰＵ２１は、共通の送信メッセージ２４２Ａである「フザイ」をアラーティング情報１３のユーザ・ユーザ情報１３１に含ませて、他方の通信装置２０１に送信する。
【００６１】
着信に応答するとき、着信者は、発信者に着信者が誰であるのかを示す個別ＩＤ２４３Ａを設定する（ステップＳ２０９）。この時着信者は、個別ＩＤ２４３Ａを、電話機３１あるいはファクシミリ装置３２のキーのうち、各使用者に割り当てられたキーを押下して入力する、あるいは、通信装置２００の個別ＩＤ設定用ボタン（図示せず）を押下して入力する。個別ＩＤ設定部２６は、個別ＩＤ２４３Ａの入力を検出すると、個別ＩＤ２４３ＡをＣＰＵ２１へ出力する。
【００６２】
着信者が、電話機３１の受話器を持ち上げる等の応答の操作を行うと、呼制御部２２は、通常の回線閉結動作を行う（ステップＳ２１０）。このとき個別ＩＤ２４３Ａが設定されていると、ＣＰＵ２１は、設定された個別ＩＤ２４３Ａをコネクト情報１２のユーザ・ユーザ情報１２１に含ませて、呼制御部２２を介して他方の通信装置２０１に送信する。
【００６３】
なお、この実施の形態では、着サブアドレスＡ１１４Ａが不在者テーブル２４２に登録されていない場合には常に共通の送信メッセージが送信されるが（ステップＳ２０６，Ｓ２０７）、着サブアドレスＢ１１４Ｂが不在者テーブル２４２に登録され、かつ、個別の送信メッセージが登録されている場合には、着サブアドレスＡ１１４Ａが不在者テーブル２４２に登録されていなくても、個別の送信メッセージを送信するようにしてもよい。
【００６４】
次に、本実施の形態における他方の通信装置２０１について説明する。他方の通信装置２０１の構成は、一方の通信装置２００と同等であるため、通信装置２０１を構成する各部の符号は、通信装置２００における各部と同符号を用いて説明する。
【００６５】
他方の通信装置２０１が発信する時の動作について説明する。図７は、この実施の形態の発信時の動作を説明するフローチャートである。
【００６６】
発信者が、電話機３３を操作して発信先の電話番号を入力して発信操作を行うと、通信装置２０１のＣＰＵ２１は、セットアップ情報を生成して呼制御部２２を介して一方の通信装置２００に送信する（ステップＳ３０１）。この時発信者は、電話機３３あるいは通信装置２０１の図示しないボタン等を操作して、着サブアドレス１１４の設定を行う。着サブアドレス１１４は、このとき発信者が入力してもよいし、予め入力して記憶部２４が記憶していたものを選択してもよい。
【００６７】
ＣＰＵ２１は、着サブアドレス１１４が、例えば符号「＊」を含まず、着サブアドレスＡ１１４Ａと着サブアドレスＢ１１４Ｂとに分割することができない場合は、通常の発信動作を行う（ステップＳ３０２）。そして、ＣＰＵ２１が、通信を行う当事者間のＩＳＤＮ契約がポイントｔｏポイント契約であるか否かを判断する（ステップＳ３０３）。ポイントｔｏポイント契約でなかった場合、本発明による特別な動作は行わず、通常の発信動作を実行する。
【００６８】
呼制御部２２は、アラーティング情報１３を受信するとＣＰＵ２１に出力し、ＣＰＵ２１は、ユーザ・ユーザ情報１３１を抽出して、送信メッセージ２４２Ａの有無を確認する（ステップＳ３０４）。送信メッセージ２４２Ａが存在した場合、表示部２５に表示させる（ステップＳ３０５）
【００６９】
呼制御部２２は、コネクト情報１２を受信するとＣＰＵ２１に出力し、ＣＰＵ２１は、ユーザ・ユーザ情報１２１を抽出して、個別ＩＤ２４３Ａの有無を確認する（ステップＳ３０６）。個別ＩＤ２４３Ａが存在した場合、ＣＰＵ２１は、相手先別アドレステーブル２４３を参照する。そして個別ＩＤ２４３Ａに対応する個別ＩＤ表示情報２４３Ｂを表示部２５に表示させる（ステップＳ３０７）。
【００７０】
例えば、電話番号「０３ａａａａｂｂｂｂ」に発信し、そのとき受信したコネクト情報１２のユーザ・ユーザ情報１２１含まれる個別ＩＤ２４３Ａが「５５５５」であったとする。図４（ｃ）の相手先別アドレステーブル２４３を参照すると、個別ＩＤ２４３Ａ「５５５５」に対応する個別ＩＤ表示情報２４３Ｂは「ａａａａ」である。そこで、ＣＰＵ２１は、「ａａａａ」を表示部２５に表示させる。ユーザは、表示部２５を見ることにより、着信者が「ａａａａ」氏であることを認識する。そして、ＣＰＵ２１は、通常の回線閉結動作を行う（ステップＳ３０８）。
【００７１】
【発明の効果】
以上のように、本発明によれば、発信者が指定した着信者に個別に対応付けられたメッセージを、自動的に発信者に送信することができる。そのため、例えば職場や家庭等の、一台の端末を複数人が使用している場合に、発信者が指定した着信者が不在であっても、本来の通話を他の人が行う前に、発信者に対して発信者が指定した着信者が不在であることを伝えることができる効果がある。
【００７２】
また、本発明によれば、発信者に対応付けられたメッセージを、自動的に発信者に送信することができる。そのため、本来の通話を行う前に、着信者は発信者に情報を伝えることができる効果がある。
【００７３】
さらに、本発明によれば、発信者が指定した着信者が何らかの理由で応答できない場合に、発信者が指定した着信者以外の人が応答する等の本来の通話を行わずに、自動的に発信者に発信者が指定した着信者が不在であることをを伝えることができる。そのため、発信者は通信費を削減することができる。
【００７４】
また、本発明によれば、発信者が指定した着信者以外の人が応答する等の本来の通話を行わずに、迅速に発信者に発信者が指定した着信者が不在であることを伝えることができる。そのため、発信者は通信費を削減することができる。
【図面の簡単な説明】
【図１】本発明による通信システムの一構成例を示すシステム構成図である。
【図２】本発明による通信装置の一構成例を示すブロック図である。
【図３】本実施の形態における着サブアドレスの構成を示す説明図である。
【図４】本実施の形態における各情報の構成を説明する図である。
【図５】本実施の形態における通信装置の着信時の動作を説明する第１のフローチャートである。
【図６】本実施の形態における通信装置の着信時の動作を説明する第２のフローチャートである。
【図７】本実施の形態における通信装置の発信時の動作を説明するフローチャートである。
【符号の説明】
１１  セットアップ情報
１２  コネクト情報
１３  アラーティング情報
２１  ＣＰＵ
２２  呼制御部
２３  アナログインタフェース部
２４  記憶部
２５  表示部
２６  個別ＩＤ設定部
２７  設定ボタン
３１、３３  電話機
３２、３４  ファクシミリ装置
１００  通信網
１１１  発番号
１１２  発サブアドレス
１１３  着番号
１１４  着サブアドレス
１１４Ａ  着サブアドレスＡ
１１４Ｂ  着サブアドレスＢ
１１５  ユーザ・ユーザ情報
１２１  ユーザ・ユーザ情報
１３１  ユーザ・ユーザ情報
２００、２０１  通信装置
２４１  着サブアドレステーブル
２４１Ａ  発信者表示情報
２４１Ｂ  着信者表示情報
２４２  不在者テーブル
２４２Ａ  送信メッセージ
２４３  相手先別アドレステーブル
２４３Ａ  個別ＩＤ
２４３Ｂ  個別ＩＤ表示情報
【図１】
2004247782.tif 000003
【図２】
2004247782.tif 000004
【図３】
2004247782.tif 000005
【図４】
2004247782.tif 000006
【図５】
2004247782.tif 000007
【図６】
2004247782.tif 000008
【図７】
2004247782.tif 000009